(57)【要約】    【課題】光線入射角の大きい不要反射光を抑制することを可能にしたレンズ装置を提供する。    【解決手段】  空気を介して隣接する凹レンズ面と凸レンズ面を有する光学系を含み、凹レンズ面ＧＲ２と凸レンズ面ＧＲ１の少なくとも一方は、平均ピッチが４００nm以下の複数の微細構造体を有する反射防止膜を有し、ｆを光学系全体の焦点距離、ｆ1を凹レンズ面ＧＲ２と凸レンズ面ＧＲ１の間の空気層より物体側の光学系の焦点距離、ＦＮｏを光学系全体のＦナンバー、ｈを反射防止膜を有する面における軸上換算光線高、Ｒ1を凹レンズ面と凸レンズ面のうち物体側に位置する面の曲率半径、Ｒ２を凹レンズ面と凸レンズ面のうち像側に位置する面の曲率半径、とするとき、１．３≦Ｒ1／Ｒ2＜８．０、１５．０°＜｜θ2−θ1｜、ただしＤ＝ｆ／（２×ＦＮｏ）、θ1＝sin-1Ｄ／ｆ1、θ2＝sin-1（ｈ×Ｄ）／Ｒ2を満たす、ことを特徴とする。【選択図】    図５
2019003072.tif 000002
【特許請求の範囲】
【請求項１】
空気を介して隣接する凹レンズ面と凸レンズ面を有する光学系を含み、
該凹レンズ面と該凸レンズ面の少なくとも一方は、平均ピッチが４００nm以下の複数の
微細構造体を有する反射防止膜を有し、該凹レンズ面と該凸レンズ面の前記少なくとも一方は、ｆを前記光学系全体の焦点距離、ｆ1を該凹レンズ面と該凸レンズ面の間の空気層より物体側の光学系の焦点距離、ＦＮｏを該光学系全体のＦナンバー、ｈを該反射防止膜を有する面における軸上換算光線高、Ｒ１を該凹レンズ面と該凸レンズ面のうち物体側に位置する面の曲率半径、Ｒ２を該凹レンズ面と該凸レンズ面のうち像側に位置する面の曲率半径、とするとき、
１．３０  ≦  Ｒ１／Ｒ２  ＜  ８．００
１５．０°  ＜  ｜θ2−θ1｜ 
【数１】
2019003072.tif 000014
なる条件式を満たすことを特徴とするレンズ装置。
【請求項２】
前記レンズ装置において、凹レンズ面と凸レンズ面のうち像側に位置する面における瞳近軸光線の高さをｈ＿ｂａｒ、入射角（ｒａｄ）をα＿ｂａｒ、最大像高をＹとするとき、以下の条件を満たす請求項第１項のレンズ装置。
【数２】
2019003072.tif 000015
【請求項３】
前記反射防止膜は、最上層（空気に接する層）が微細構造体よりなり、該微細構造体の屈折率は１．３０以下であり、入射角０°における波長４００〜７５０nmの反射率の平均値が０．５％以下であることを特徴とする請求項１乃至２のいずれか１項に記載のレンズ装置。
【請求項４】
前記反射防止膜は、入射角４５°および入射角０°において、波長４００ｎｍにおける反射率をＲＡ、波長７００ｎｍにおける反射率をＲＢとするとき、
ＲＢ／ＲＡ＜３．０
なる条件式を満たすことを特徴とする請求項１乃至３のいずれか１項に記載のレンズ装置。
【請求項５】
前記反射防止膜は、最上層とレンズ面との間に、単層膜又は多層膜より成る中間層を有することを特徴とする請求項１乃至４のいずれか１項に記載のレンズ装置。
【請求項６】
請求項１乃至５のいずれか１項に記載のレンズと、該レンズによって形成された像を受光する固体撮像素子を有することを特徴とする撮像装置。
【発明の詳細な説明】
【技術分野】
【０００１】
本発明はレンズに関し、レンズ面の反射防止膜を効果的に行い、フレアーやゴーストの発生を軽減したビデオカメラ、電子スチルカメラ、テレビカメラ、監視カメラ等の撮像装置の撮像光学系として好適なものである。
【背景技術】
【０００２】
物体からの光束が撮像光学系に入射し、撮像光学系を構成するレンズのレンズ面で反射し、その後、他のレンズ面で反射した後に像面に入射するとフレアーやゴーストとなる。フレアーやゴーストが多く発生すると画質が低下してくる。撮像光学系を構成するレンズの反射面には多くの場合、反射防止膜が施されている。
【０００３】
従来、レンズを構成する第１レンズ群（前玉レンズ群）の少なくとも１面にウェットプロセスを用いて形成された層を少なくとも１層含む反射防止膜を用いたレンズが知られている（特許文献１）。
【０００４】
また反射防止膜として、可視光の波長よりも短いピッチの微細構造体を複数配列した反射防止構造体が知られている。このような反射防止構造体をレンズ面に設けて反射光の軽減を効果的に図ったレンズが知られている（特許文献２）。
【先行技術文献】
【特許文献】
【０００５】
【特許文献１】特開２００８−２３３５８５号公報
【特許文献２】特開２０１４−３８２１４号公報
【発明の概要】
【発明が解決しようとする課題】
【０００６】
撮像装置に用いられるレンズには、フレアーやゴーストの発生による画質の低下を抑えた、高画質のレンズが強く要望されている。
広い波長域、広い入射角範囲で良好な反射防止効果を得るには光学系を構成するレンズ面への特殊反射防止膜の適用箇所を適切に設定することが重要となる。しかしながら、上述の特許文献の条件では、適用箇所の設定が適切でなく、十分な反射防止効果を得ることができない。
【０００７】
本発明は、光線入射角の大きい不要反射光を抑制することを可能にしたレンズ装置を提供することを目的とする。
【課題を解決するための手段】
【０００８】
本発明のレンズ装置は、空気を介して隣接する凹レンズ面と凸レンズ面を有する光学系を含み、該凹レンズ面と該凸レンズ面の少なくとも一方は、平均ピッチが４００nm以下の複数の微細構造体を有する反射防止膜を有し、該凹レンズ面と該凸レンズ面の前記少なくとも一方は、ｆを前記光学系全体の焦点距離、ｆ1を該凹レンズ面と該凸レンズ面の間の空気層より物体側の光学系の焦点距離、ＦＮｏを該光学系全体のＦナンバー、ｈを該反射防止膜を有する面における軸上換算光線高、Ｒ１を該凹レンズ面と該凸レンズ面のうち物体側に位置する面の曲率半径、Ｒ2を該凹レンズ面と該凸レンズ面のうち像側に位置する面の曲率半径、とするとき、
１．３０  ≦  Ｒ１／Ｒ２  ＜  ８．００
１５．０°  ＜  ｜θ2−θ1｜
【０００９】
【数１】
2019003072.tif 000003
なる条件式を満たすことを特徴としている。
【発明の効果】
【００１０】
本発明によれば、良好なる反射防止効果を有し、フレアーやゴーストの発生が少なく、高い光学性能が容易に得られるレンズが得られる。
【図面の簡単な説明】
【００１１】
【図１】実施例１における広角端において距離２．５ｍに合焦しているときのレンズ断面図
【図２】実施例２における広角端において距離３ｍに合焦しているときのレンズ断面図
【図３】実施例３における広角端において距離１３ｍに合焦しているときのレンズ断面図
【図４】実施例４における広角端において距離３ｍに合焦しているときのレンズ断面図
【図５】本発明における軸上ゴースト光線の模式図
【図６】本発明における軸外ゴースト光線の模式図
【図７】平均ピッチが４００nm以下の構造を有する反射防止構造体の概略図
【図８】平均ピッチが４００nm以下の構造を有する反射防止構造体の他の一例の概略図
【図９】複数の微細な形状空間を有する構造体からなる層を有する薄膜の概略図
【図１０】本発明の撮像装置の概略図
【発明を実施するための形態】
【００１２】
以下に、本発明の好ましい実施の形態を、添付の図面に基づいて詳細に説明する。
【００１３】
本発明のレンズは、デジタルカメラ、ビデオカメラ、銀塩フィルムカメラ等の撮像装置や望遠鏡、双眼鏡の観察装置、複写機、プロジェクター等の光学機器に用いられるものである。レンズ断面図において左方が前方（物体側、拡大側）で、右方が後方（像側、縮小側）である。
【００１４】
レンズ断面図において、空気を介して隣接する凹レンズ面と凸レンズ面のうち、凸レンズ面をＧＲ１、凹レンズ面をＧＲ２としている。Ｕｉは第ｉレンズ群である。ＵＭはズーミングに際して移動するレンズ群を１つ以上有する中間レンズ群である。ＵＲはズーミングに際して不動の正の屈折力の後レンズ群である。ＳＰは開口絞りである。ＤＧはプリズム、フィルター等からなる光学ブロックである。ＩＰは像面であり、固体撮像素子（光電変換素子）の撮像面に相当している。
【００１５】
レンズ断面図において、矢印は広角端から望遠端へのズーミングに際しての各レンズ群の移動軌跡を示す。
【００１６】
図１の実施例１において、Ｕ１はズーミングに際して不動の正の屈折力の第１レンズ群である。第１レンズ群Ｕ１はフォーカシングに際して移動する部分群が含まれている。Ｕ２は広角端（短焦点距離端）から望遠端（長焦点距離端）へのズーミングに際して物体側から像面側へ移動する変倍用の負の屈折力の第２レンズ群（バリエーターレンズ群）である。
【００１７】
中間レンズ群ＵＭは、広角端から望遠端へのズーミングに際して移動する変倍用の負の屈折力の第３レンズ群Ｕ３と像面変動補正用の負の屈折力の第４レンズ群Ｕ４よりなっている。後レンズ群ＵＲは、ズーミングに際して不動の正の屈折力の第５レンズ群（リレーレンズ群）よりなっている。
【００１８】
図２、４の実施例２、４において、Ｕ１，Ｕ２は実施例１と同様のレンズ群である。中間レンズ群ＵＭは第２レンズ群Ｕ２の変倍に連動して移動し、変倍に伴う像面変動を補正する負の屈折力の第３レンズ群（コンペンセーターレンズ群）Ｕ３よりなっている。開口絞りＳＰはズーミングに際して不動であり、第３レンズ群Ｕ３の像側に配置されている。後レンズ群ＵＲはズーミングに際して不動の正の屈折力の第４レンズ群（リレーレンズ群）Ｕ４よりなっている。
【００１９】
図３の実施例３において、Ｕ１，Ｕ２，ＵＲ（Ｕ４）は実施例２と同様のレンズ群である。中間レンズ群ＵＭは、第２レンズ群Ｕ２の変倍に連動して移動し、変倍に伴う像面変動を補正する正の屈折力の第３レンズ群（コンペンセーターレンズ群）Ｕ３よりなっている。
【００２０】
各実施例においてレンズ群とはズーミングに際して変化するレンズ間隔によって分けられる１つ以上のレンズを含む集合体をいう。
【００２１】
本発明のレンズは、物体側から像側へ順に、ズーミングに際して不動の正の屈折力の第１レンズ群Ｕ１、ズーミングに際して移動する負の屈折力の第２レンズ群Ｕ２、ズーミングに際して移動するレンズ群を１つ以上有する中間レンズ群ＵＭを有する。ズーミングに際して不動の正の屈折力の後レンズ群ＵＲを有する。
【００２２】
図５は、本発明の実施形態にかかわるゴーストの模式図である。数値実施例１のレンズ断面図を使用している。ゴーストは図５（Ｂ）に示す面ＧＲ２と、図５（Ａ）に示す面ＧＲ１の空気を介して隣り合う２面からの反射により発生している。
【００２３】
図５（Ａ）はレンズ断面図の一部と軸上ゴースト光線のうち最も光線高の高い光線が面ＧＲ１を通過した様子を表している。角度θ１は、最も光線高の高いゴースト光線が面ＧＲ１を透過した後に光軸に対して成す角度を表す。この角度θ１は、入射光線の光束半径Ｄと、第１面から面ＧＲ１までの焦点距離ｆ１から以下の式で求まる。
【００２４】
【数２】
2019003072.tif 000004
【００２５】
また、入射光線の光束半径Ｄはレンズ全系の焦点距離ｆとレンズ全系のＦナンバーから以下の式で求まる。
【００２６】
【数３】
2019003072.tif 000005
【００２７】
この光束半径Ｄは撮像面上で画像を形成する正規光の入射瞳半径と同じ数値となる。本発明においてゴースト光を発生させる面ＧＲ１とＧＲ２は近い曲率で、なおかつ隣り合わせであるため、正規光と近い光路をたどる。面ＧＲ１、ＧＲ２の曲率の関係については後述する。従って本発明においては、このような正規光の入射瞳径と同じ数式を使用している。
【００２８】
図５（Ｂ）は、（Ａ）に対し、面ＧＲ２を追加したレンズ断面図である。角度θ２は軸上光線のうち最周辺を通る光線が通過する高さにおける面ＧＲ２の法線と光軸の成す角を表す。この角度θ２は特殊反射防止膜を構成する面における軸上換算光線高hと入射光線の光束半径D、ゴースト反射面のうち像側に位置する面ＧＲ２の曲率半径Ｒ２から以下の式で求まる。ここでいう軸上換算光線高hとは、レンズ全系の焦点距離で正規化し、レンズ第１面入射光線高を１とした時の近軸追跡値とする。近軸追跡とは、光線の入射傾角をｕとしたとき、sin ｕ≒ｕ(単位はラジアン)と近似した光線追跡である。
【００２９】
【数４】
2019003072.tif 000006
【００３０】
面ＧＲ２に入射する軸上ゴースト光線のうち、最も入射角が大きいのは、最周辺を通る光線である。従って、最周辺を通る光線の面ＧＲ２に対する入射角は｜θ２−θ１｜である。本発明においては、その入射角に対して以下の通りとしている。
【００３１】
【数５】
2019003072.tif 000007
【００３２】
上式を満たすと、レンズ最周辺を通る光線の入射角とレンズ中心を通る軸上ゴースト光線の入射角の差が大きくなる。従って、平均ピッチが４００nm以下の複数の微細構造体を持つ反射率抑制波長帯域の広い特殊反射防止膜の効果が十分に発揮され、ゴースト光が抑制される。また、上式を考慮することにより、特殊反射防止膜を導入する面より物体側の光学系の焦点距離ｆ１とゴースト反射面のうち像側に位置する面の曲率半径Ｒ２から、特殊反射防止膜の効果的な導入位置を決定できる。なお、面ＧＲ１とＧＲ２の曲率半径について以下の式で規定している。Ｒ１はゴースト反射面のうち物体側に位置する面ＧＲ１の曲率半径である。
【００３３】
【数６】
2019003072.tif 000008
【００３４】
式（１）の下限値を下回ると、ゴーストを発生させる面の曲率が非常に近く、ゴースト光が正規光と非常に近い光路たどるため、ゴースト光の結像位置が光源と重なり、ゴーストが目立たなくなる。
【００３５】
式（２）の上限値を上回ると、ゴーストを発生させる面の曲率が大きく異なるため、ゴースト光が正規光と大きく異なり、ゴーストが結像しにくくなる。一方で、面の曲率が強くなるため、収差が増大し、光学性能が低化するため好ましくない。
【００３６】
従って、式（１）、式（２）を満たす面に平均ピッチが４００nm以下の複数の微細構造体を持つ反射率抑制波長帯域の広い特殊反射防止膜を少なくとも１面に構成する。これにより、特殊反射防止膜を効果的に用いることができ、光線入射角の大きい不要反射光の抑制が可能となる。
【００３７】
図６は、第１レンズ群内において、軸外ゴースト光線が、面ＧＲ１と面ＧＲ２の２面からの反射により発生している様子を表している。図６において、角度θ３は、ゴースト光線が面ＧＲ２の曲率半径の法線に対して成す角度を表す。本発明において、ゴースト光を発生させる面ＧＲ１と面ＧＲ２は近い曲率で、なおかつ隣り合わせであるため、ゴースト光線は正規光と近い光路をたどる。従って本発明においては、正規光のうち、瞳近軸光線を用いて軸外ゴースト光線を表す。面ＧＲ２における瞳近軸光線の高さをｈ＿ｂａｒ、入射角（ｒａｄ）をα＿ｂａｒとしている。
【００３８】
瞳近軸光線とは、レンズ全系の焦点距離で正規化し、光学系の入射瞳と光軸との交点を通過する近軸光線である。光学系への入射角度は、光軸から測って時計回りを正、半時計回りを負とする。最大像高をＹとする。図６において、線ｉは光軸に平行な線、線ｊは面ＧＲ２の曲率半径に対する法線、線ｋは面ＧＲ２に入射するゴースト光線を物体側に向かって延長したものである。ここで、線ｊと線ｉの成す角度は瞳近軸光線高さｈ＿ｂａｒと面ＧＲ２の曲率半径Ｒ２、最大像高Ｙを用いて以下の式で表せる。ここで、ｈ＿ｂａｒは近軸追跡値であるため、最大像高Ｙをかけることで、実際の光線高さに換算している。
【数７】
2019003072.tif 000009
【００３９】
図６で示すように、面ＧＲ２に入射する光線の入射角θ３はα＿ｂａｒと線ｉと線ｊの成す角度で表され、本発明においては、その入射角に対して以下の通りとしている。
【００４０】
【数８】
2019003072.tif 000010
【００４１】
式（３）の下限値を下回ると、レンズ周辺における反射防止膜の入射角度特性の低下は小さく、反射率は小さいので、特殊反射防止膜を施す必要がなくなる。
【００４２】
式（３）の上限値を上回ると、レンズ周辺における反射防止膜の入射角度特性の低下が大きく、反射率は増大するため、特殊反射防止膜としての効果が薄らいでゴーストが発生しやすくなる。
【００４３】
上式を満たすと、平均ピッチが４００nm以下の複数の微細構造体を持つ反射率抑制波長帯域の広い特殊反射防止膜の効果が十分に発揮され、ゴースト光が抑制される。
各実施例において更に好ましくは前途の各条件式の数値範囲を次の如く設定するのが好ましい。
１．３０  ≦  Ｒ１／Ｒ２  ＜  ７．００    ・・・（１ａ）
【００４４】
【数９】
2019003072.tif 000011
【００４５】
各実施例において反射防止膜は、最上層（空気に接する層）が微細構造体よりなり、微細構造体の屈折率は１．３０以下である。そして、入射角０°における波長４００〜７５０nmの反射率の平均値が０．５％以下である。
【００４６】
また反射防止膜は、入射角４５°および入射角０°において、波長４００ｎｍにおける反射率をＲＡ、波長７００ｎｍにおける反射率をＲＢとする。このとき、
ＲＢ／ＲＡ＜３．０・・・（４）
なる条件式を満たす。
【００４７】
条件式（４）は、入射角４５°および入射角０°において、波長４００ｎｍにおける反射率ＲＡと波長７００ｎｍにおける反射率ＲＢの比を規定し、反射防止膜の波長帯域特性・入射角度特性を表している。条件式（４）の上限値を超えると、反射防止膜の波長帯域特性・入射角度特性が低いため、反射防止膜としての効果が薄らいでゴーストが発生しやすくなる。
【００４８】
以下、特殊反射防止膜について説明する。図７は本発明に係る反射防止膜を有する光学素子の概略図である。図７において、７００は光学素子（レンズ）である。７０１は光学ガラスからなる透明基板、７０２は反射防止膜であり、反射防止構造体（反射構造体）よりなっている。７０４は反射防止構造体７０２の凹凸形状よりなる構造部である。７０３は反射防止構造体７０２の構造間（構造部７０４間）のピッチである。７０４ｐは構造部７０４のピッチである。
【００４９】
反射防止構造体７０２において、ピッチ７０３が使用波長（例えば波長４００ｎｍ〜波長７００ｎｍ）よりも小さい構造である場合、この内部では、光は反射防止構造体７０２が均質な膜であるかのように振舞うことが知られている。反射防止構造体７０２の内部では、その構造部７０４をなす材料の体積比に準じた特性を示す。図７の構成を例にとると、反射防止構造体７０２の等価屈折率ｎｅｆｆは、構造部７０４の材料の屈折率ｎｓと構造部７０４の体積比ｆｆを使って、式（ｉ）で簡略的に求められる。
ｎｅｆｆ＝ｆｆ・ｎｓ＋（１−ｆｆ）    ・・・（ｉ）
ここで体積比ｆｆは、
｛（構造部７０４のピッチ７０４ｐ）／（構造間のピッチ７０３）｝
で求められる。
【００５０】
反射防止構造体７０２が空気との混合体の場合、等価屈折率ｎｅｆｆは従来の薄膜材料
では実現困難な低屈折率な膜と等価となる。低屈折率な膜を利用した反射防止膜は、非常
に高性能な反射防止性能を示す。このような構成の反射防止構造体７０２を透明基板７０２の表面に付与すると、反射光の強度が非常に弱くなり、光学系に用いたとき、ゴースト、フレアーの発生が少なくなる。ここでは説明のために反射防止構造体７０２は周期構造の構造部７０４よりなる場合を例に挙げたが、構造部７０４間のピッチ７０３が使用光の波長以下ならば、反射防止構造体７０２は非周期構造の構造部よりなる場合でも構わない。
【００５１】
また、反射防止構造体７０２の構造部７０４の形状は短形構造（凹凸形状）でなくても三角形状、六角形状等、何でも良い。反射防止構造体７０２を使用していれば、薄膜などと組み合わせた多層膜構造より構成しても良い。
【００５２】
使用波長が単波長ではなく、ある範囲にわたっているのであれば、平均ピッチを使用波長以下の最短波長以下とすればよく、ここでは可視域の場合を適用し、平均ピッチを４００ｎｍ以下としている。これは、使用波長の最短波長よりも大きな平均ピッチを用いると、回折や散乱による有害光が発生してしまうためである。
【００５３】
図８は本発明に係る反射防止膜を有する光学素子の概略図である。図８において、８００は光学素子（レンズ）である。８０１は光学ガラスからなる透明基板、８０２は反射防止構造体、８０３は単一又は複数の層よりなる薄膜（中間層）である。反射防止構造体８０２は微細凹凸形状の構造部８０２ａよりなる。構造部８０２ａの平均ピッチは使用波長以下である。このように、反射防止構造体８０２は厚さ方向に密度が変わってもかまわない。
【００５４】
反射防止構造体８０２のように厚さ方向で密度が変わる構造は、空気から基板８０１に向けて屈折率が連続的に増加するように変化するような膜と等価である。また、反射防止構造体８０２と基板８０１の間に薄膜８０３を設けている。これにより、より高性能な反射防止性能を得ている。
【００５５】
なお、構造体８０２ａの平均ピッチが４００ｎｍ以下の微細構造からなれば反射防止構造体８０２は、どのような方法で作成されたものでも構わない。例えば、レンズ表面にアルミニウム含有する溶液を塗布することで皮膜を形成し、該皮膜を温水処理することで微細構造を形成する方法を用いることができる。また、アルミニウムあるいはアルミニウム合金を陽極酸化する際に形成される細孔を金型表面に形成し、該細孔をレプリカ法やモールド法などでレンズ表面に転写するなどの方法を用いても良い。
【００５６】
これらの方法を用いれば、安価に大面積のレンズ表面にも、平均ピッチが使用波長以下の微細構造を容易に形成することができる。
【００５７】
図９は本発明に係る反射防止膜を有する光学素子の概略図である。図９において、９００は光学素子（レンズ）である。９０１は光学ガラスからなる透明基板、９０２は薄膜層である。９０５は複数の微細構造空間を有する構造体からなる層である。
【００５８】
層９０５における９０５ａは微細構造空間、９０５ｂは膜の表面である。微細構造空間９０５ａと層９０５の体積比によって層９０５の屈折率が決まる。
【００５９】
層９０５において厚さ方向で密度が変わる構造は、空気から基板９０１に向けて屈折率が連続的に変化するような膜と等価である。基板９０１の上に、複数の微細構造空間を有する構造体からなる層９０５が最上層に位置するように構成している。
【００６０】
これにより、より高性能な反射防止性能を得ている。図９のような薄膜では、膜の表面９０５ｂに開口を持たないために、低屈折率でありながら、機械強度にも優れた膜となる。
【００６１】
なお複数の微細構造空間を有する構造体からなる層は、どのような方法で作成されたものでも構わない。例えば、複数の微細な管状空間を有する構造体からなる層を作成する場合、管状空間を一軸配向させたメソ構造体膜を用いても良い。
【００６２】
次に、各実施例の特徴について説明する。実施例１の第９面のＧＲ１における曲率半径Ｒ１は−１４８．９０２ｍｍであり、第１０面のＧＲ２における曲率半径Ｒ２は−１１３．５２３ｍｍである。いずれも、絞りに対し凸面を向ける構成となっている。Ｒ１／Ｒ２は１．３１となる。従って、数式（１）の上限値、下限値を満たしている。
【００６３】
この、上限値、下限値を満たすと、ゴースト光を反射する２面のゴースト光線入射角が近い値を取る。
【００６４】
実施例１の焦点距離２４．４ｍｍにおけるＦナンバーは１．９である。また、特殊反射防止膜を形成する面までの焦点距離ｆ１は１９６．２ｍｍである。特殊反射防止膜を構成する面における軸上換算光線高ｈは３．７である。数式（２）におけるＤはＤ＝２４．４／１．９＝１２．８ｍｍである。数式（２）におけるθ1はθ１＝sin-1（１２．８／１９６．２）＝１．９°である。数式（２）におけるθ２はθ２＝sin-1（（３．７・１２．８）／−１１３．５）＝−２４．７°である。従って、数式（２）における|θ２−θ１|は２６．６となり、下限値を満たしている。この下限値を満たすことにより、ゴースト光線のうちレンズ周辺部を通る光線の面への入射角が大きくなる。ゴースト光線のうちレンズ中心部を通る光線は入射角が小さいため、反射抑制波長帯域の広い反射防止膜の効果が高まる。
【００６５】
数式（１）、数式（２）を同時に満たすことでゴースト光線の反射面への入射角が２面とも大きくなることで、特殊反射防止膜の効果がより高まる。
【００６６】
数式（３）におけるｈ＿ｂａｒは−４．７である。数式（３）におけるα＿ｂａｒは−１．３である。像高はＹは５．５ｍｍである。従って数式（３）は６４．７７となり、上限値、下限値を満たしている。この、上限値、下限値を満たすことで反射防止膜の効果が十分に発揮され、ゴースト光が抑制される。
【００６７】
実施例２の第１７面のＧＲ１における曲率半径Ｒ１は−４５．８５４ｍｍであり、第１８面のＧＲ２における曲率半径Ｒ２は−２２．４５９ｍｍである。いずれも、絞りに対し凸面を向ける構成となっている。Ｒ１／Ｒ２は２．０４となる。従って、数式（１）の上限値、下限値を満たしている。この、上限値、下限値を満たすと、ゴースト光を反射する２面のゴースト光線入射角が近い値を取る。
【００６８】
実施例２の焦点距離８．０ｍｍにおけるＦナンバーは１．８である。また、特殊反射防止膜を形成する面までの焦点距離ｆ１は−４９．９ｍｍである。特殊反射防止膜を構成する面における軸上換算光線高ｈは１．６である。数式（２）におけるＤはＤ＝８．０／１．８＝４．４ｍｍである。数式（２）におけるθ1はθ１＝sin-1（４．４／−４９．９）＝−２．５°である。数式（２）におけるθ２はθ２＝sin-1（（１．６・４．４）／−２２．４５９）＝−１８．３°である。
【００６９】
従って、数式（２）における|θ２−θ１|は１５．８となり、下限値を満たしている。この下限値を満たすことにより、ゴースト光線のうちレンズ周辺部を通る光線の面への入射角が大きくなる。ゴースト光線のうちレンズ中心部を通る光線は入射角が小さいため、反射抑制波長帯域の広い反射防止膜の効果が高まる。
数式（１）、数式（２）を同時に満たすことでゴースト光線の反射面への入射角が２面とも大きくなることで、特殊反射防止膜の効果がより高まる。
【００７０】
数式（３）におけるｈ＿ｂａｒは−１．５である。数式（３）におけるα＿ｂａｒは−０．５である。像高はＹは５．５ｍｍである。従って数式（３）は４８．１２となり、上限値、下限値を満たしている。この、上限値、下限値を満たすことで反射防止膜の効果が十分に発揮され、ゴースト光が抑制される。
【００７１】
実施例３の第１５面のＧＲ１における曲率半径Ｒ１は−８９．０８７ｍｍであり、第１６面のＧＲ２における曲率半径Ｒ２は−５１．９０９ｍｍである。いずれも、絞りに対し凸面を向ける構成となっている。Ｒ１／Ｒ２は１．７２となる。従って、数式（１）の上限値、下限値を満たしている。この、上限値、下限値を満たすと、ゴースト光を反射する２面のゴースト光線入射角が近い値を取る。
【００７２】
実施例３の焦点距離２１．３ｍｍにおけるＦナンバーは１．８である。また、特殊反射防止膜を形成する面までの焦点距離ｆ１は−９８．９ｍｍである。特殊反射防止膜を構成する面における軸上換算光線高ｈは２．０である。数式（２）におけるＤはＤ＝２１．３／１．８＝１１．８ｍｍである。数式（２）におけるθ1はθ１＝sin-1（１１．８／−９８．９）＝−３．４°である。数式（２）におけるθ２はθ２＝sin-1（（２．０・１１．８）／−５１．９０９）＝−２７．０°である。従って、数式（２）における|θ２−θ１|は２３．６となり、下限値を満たしている。
【００７３】
この下限値を満たすことにより、ゴースト光線のうちレンズ周辺部を通る光線の面への入射角が大きくなる。ゴースト光線のうちレンズ中心部を通る光線は入射角が小さいため、反射抑制波長帯域の広い反射防止膜の効果が高まる。
【００７４】
数式（１）、数式（２）を同時に満たすことでゴースト光線の反射面への入射角が２面とも大きくなることで、特殊反射防止膜の効果がより高まる。
【００７５】
数式（３）におけるｈ＿ｂａｒは−３．５である。数式（３）におけるα＿ｂａｒは−０．３である。像高はＹは５．５ｍｍである。従って数式（３）は３８．４７となり、上限値、下限値を満たしている。この、上限値、下限値を満たすことで反射防止膜の効果が十分に発揮され、ゴースト光が抑制される。
【００７６】
実施例４の第２３面のＧＲ１における曲率半径Ｒ１は−１５７．３８０ｍｍであり、第２４面のＧＲ２における曲率半径Ｒ２は−２３．８４５ｍｍである。いずれも、絞りに対し凸面を向ける構成となっている。Ｒ１／Ｒ２は６．６０となる。従って、数式（１）の上限値、下限値を満たしている。この、上限値、下限値を満たすと、ゴースト光を反射する２面のゴースト光線入射角が近い値を取る。
【００７７】
実施例４の焦点距離２０．１ｍｍにおけるＦナンバーは２．８である。また、特殊反射防止膜を形成する面までの焦点距離ｆ１は−４３．１ｍｍである。特殊反射防止膜を構成する面における軸上換算光線高ｈは３．７である。数式（２）におけるＤはＤ＝２０．１／２．８＝７．２ｍｍである。数式（２）におけるθ1はθ１＝sin-1（７．２／−４３．１）＝−４．８°である。数式（２）におけるθ２はθ２＝sin-1（（１．６・７．２）／−２３．８４５）＝−２８．９°である。
【００７８】
従って、数式（２）における|θ２−θ１|は２４．１となり、下限値を満たしている。この下限値を満たすことにより、ゴースト光線のうちレンズ周辺部を通る光線の面への入射角が大きくなる。ゴースト光線のうちレンズ中心部を通る光線は入射角が小さいため、反射抑制波長帯域の広い反射防止膜の効果が高まる。
【００７９】
数式（１）、数式（２）を同時に満たすことでゴースト光線の反射面への入射角が２面とも大きくなることで、特殊反射防止膜の効果がより高まる。
【００８０】
数式（３）におけるｈ＿ｂａｒは−０．６である。数式（３）におけるα＿ｂａｒは−０．４である。像高はＹは１５．５５ｍｍである。従って数式（３）は４４．８４となり、上限値、下限値を満たしている。この、上限値、下限値を満たすことで反射防止膜の効果が十分に発揮され、ゴースト光が抑制される。
【００８１】
図１０を用いて、各数値実施例のレンズを撮像光学系として用いた撮像装置（テレビカメラシステム）の概要を説明する。図１０は本発明の撮像装置の要部概略図である。図１０において１０１は数値実施例１乃至４のいずれか１つのズームレンズである。１２４はカメラである。ズームレンズ１０１はカメラ１２４に対して着脱可能になっている。１２５はカメラ１２４にズームレンズ１０１を装着することにより構成される撮像装置である。
【００８２】
ズームレンズ１０１は第１レンズ群Ｆ、変倍レンズ群ＬＺ、結像用のレンズ群Ｒを有している。第１レンズ群Ｆはフォーカス用のレンズ群が含まれている。変倍レンズ群ＬＺは変倍の為に光軸上を移動するレンズ群と、変倍に伴う像面変動を補正する為に光軸上を移動するレンズ群が含まれている。ＳＰは開口絞りである。
【００８３】
１１４、１１５は、各々第１レンズ群Ｆ、変倍レンズ群ＬＺを光軸方向に駆動するヘリコイドやカム等の駆動機構である。１１６〜１１８は駆動機構１１４、１１５及び開口絞りＳＰを電動駆動するモータ（駆動手段）である。１１９〜１２１は、第１レンズ群Ｆ、変倍レンズ群ＬＺの光軸上の位置や、開口絞りＳＰの絞り径を検出する為のエンコーダやポテンショメータ、あるいはフォトセンサ等の検出器である。
【００８４】
カメラ１２４において、１０９はカメラ１２４内の光学フィルターや色分解プリズムに相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ本体１０１の各種の駆動を制御するＣＰＵである。このように本発明のズームレンズをテレビカメラに適用することにより、高い光学性能を有する撮像装置を実現している。
【００８５】
以下に本発明の実施例１乃至４に対応する数値実施例１乃至４を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉ，νｄｉはそれぞれ第ｉ番目の光学部材の屈折率とアッベ数である。ＢＦはバックフォーカスであり、最終レンズ面から像面までの空気換算長である。レンズ全長は第１レンズ面から最終レンズ面までの距離にバックフォーカスを加えた値である。
【００８６】
非球面形状は光軸方向にＸ軸、光軸と垂直方向にＨ軸、光の進行方向を正とし、Ｒを近軸曲率半径、ｋを円錐常数、Ａ３、Ａ４、Ａ５、Ａ６、Ａ７、Ａ８、Ａ９、Ａ１０、Ａ１１、Ａ１２、Ａ１３、Ａ１４、Ａ１５、Ａ１６をそれぞれ非球面係数とする。このとき、次式で表す。
【００８７】
【数１０】
2019003072.tif 000012
【００８８】
で表される。又、例えば「ｅ−Ｚ」は「×１０−Ｚ」を意味する。＊印は非球面であることを示している。各実施例と前述した条件式との対応を表１に示す。 
【００８９】
(数値実施例１)
単位 mm
面データ
面番号       r        d      nd         vd       有効径
1       -173.901    3.12   1.83400    37.2       88.93
2        195.723   12.33                         84.20
3        381.556    2.60   1.74950    35.3       82.87
4        155.395   12.09   1.43875    94.9       82.01
5       -237.848    0.15                         81.93
6      -2213.487   10.60   1.43387    95.1       81.38
7       -106.351   11.85                         81.11
8        161.383   11.46   1.43387    95.1       75.27
9       -148.902    1.46                         74.26
10       -113.523    2.37   1.74950    35.3       74.35
11       -175.484    0.15                         73.97
12        134.498   10.71   1.59522    67.7       73.10
13       -242.312    2.13                         72.31
14         50.037    5.18   1.74100    52.6       62.17
15         69.136  (可変)                         60.77
16         80.351    1.00   1.88300    40.8       24.49
17         15.387    5.35                         20.33
18        -53.055    6.30   1.80809    22.8       20.02
19        -12.845    0.75   1.88300    40.8       19.70
20         75.255    0.18                         19.59
21         29.052    3.58   1.66680    33.0       19.85
22         69.978  (可変)                         19.41
23        -29.853    0.75   1.75700    47.8       19.68
24         39.847    2.74   1.84649    23.9       21.34
25       1405.771  (可変)                         21.84
26       -214.786    3.18   1.64000    60.1       27.35
27        -42.336    0.15                         27.96
28         79.757    4.46   1.51633    64.1       29.35
29       -117.575  (可変)                         29.57
30(絞り)    ∞       0.15                         29.83
31         70.963    8.50   1.51742    52.4       29.87
32        -31.576    1.00   1.83400    37.2       29.44
33       -162.128   33.20                         29.75
34         71.177    5.78   1.51633    64.1       29.50
35        -48.927    1.97                         29.43
36       -133.950    1.00   1.77250    49.6       28.02
37         22.184    9.68   1.50127    56.5       27.19
38        -48.380    0.15                         27.58
39         77.590    6.72   1.48749    70.2       27.23
40        -27.789    1.00   1.88300    40.8       26.85
41        136.186    0.15                         27.30
42         37.479    7.05   1.48749    70.2       28.08
43        -44.716    4.50                         28.00
44          ∞      33.00   1.60859    46.4       40.00
45          ∞      13.20   1.51633    64.1       40.00
46          ∞     (可変)                         40.00
像面        ∞   
各種データ
ズーム比     18.00 
広角     中間     望遠
焦点距離       8.50    32.22   153.00  
Fナンバー      1.89     1.89     2.69  
半画角        32.91     9.69     2.06  
像高           5.50     5.50     5.50  
レンズ全長   320.46   320.46   320.46  
BF             6.93     6.93     6.93  
d15            0.93    32.51    48.75  
d22           42.24     5.67     8.73  
d25           10.03    15.86     3.06  
d29           18.64    17.79    11.30  
d46            6.93     6.93     6.93
【００９０】
（数値実施例２）
単位 mm
面データ
面番号       r        d      nd         vd       有効径
1       -209.135    2.00   1.80518    25.4       83.45
2        197.530    5.48                         79.83
3        428.796   10.15   1.43875    94.9       78.85
4       -135.200    7.18                         78.17
5        201.248    8.51   1.49700    81.5       76.81
6       -277.954    0.20                         76.55
7         98.823    8.49   1.62041    60.3       73.26
8       2720.590    0.20                         72.40
9         60.166    6.49   1.62041    60.3       65.55
10        121.266  (可変)                         64.60
11*       711.582    0.80   1.88300    40.8       29.03
12         15.170    5.94                         22.85
13       -809.880    7.21   1.80518    25.4       22.62
14        -13.834    0.80   1.77250    49.6       22.35
15         42.401    0.20                         20.52
16*        32.808    4.87   1.56732    42.8       20.49
17        -45.854    1.31                         19.87
18        -22.459    0.80   1.88300    40.8       19.79
19        -52.494  (可変)                         19.98
20        -29.824    0.80   1.81600    46.6       20.28
21         72.483    2.31   1.92286    21.3       21.84
22       -262.925  (可変)                         22.35
23(絞り)    ∞       1.30                         25.88
24        912.463    3.93   1.62041    60.3       26.92
25        -43.816    0.15                         27.60
26        118.108    3.42   1.51823    58.9       28.52
27        -90.208    0.15                         28.66
28         58.769    6.50   1.51823    58.9       28.62
29        -38.276    1.15   1.78590    44.2       28.26
30        359.890   34.00                         28.13
31         63.086    5.50   1.51633    64.1       28.42
32        -47.504    2.33                         28.16
33        -67.885    1.15   1.79952    42.2       26.25
34         25.622    6.23   1.51823    59.0       25.57
35       -134.526    0.15                         26.05
36         72.667    6.82   1.48749    70.2       26.52
37        -26.202    1.15   1.80610    40.9       26.58
38       -111.229    0.15                         27.48
39         47.231    5.74   1.51823    59.0       28.16
40        -58.068    4.50                         28.02
41          ∞      30.00   1.60342    38.0       25.60
42          ∞      16.20   1.51633    64.2       18.42
43          ∞     (可変)                         14.32
像面        ∞   
非球面データ
第11面
K = 1.17472e+003  A 4= 8.32116e-006  A 6=-8.12062e-009  A 8=-2.06342e-011  A10= 3.22715e-014  
第16面
K = 3.00329e-001  A 4= 1.32059e-005  A 6= 2.22623e-008  A 8=-1.23706e-010  A10= 1.81953e-012  
各種データ
ズーム比     20.00 
広角     中間     望遠
焦点距離       8.00    48.00   160.00  
Fナンバー      1.80     1.80     2.50  
半画角        34.51     6.54     1.97  
像高           5.50     5.50     5.50  
レンズ全長   272.45   272.45   272.45  
BF             8.57     8.57     8.57  
d10            1.24    42.00    52.22  
d19           53.87     6.98     6.65  
d22            4.50    10.63     0.74  
d43            8.57     8.57     8.57  
【００９１】
（数値実施例３）
単位 mm
面データ
面番号       r        d      nd         vd       有効径
1       1571.411    5.91   1.90366    31.3      212.83
2        361.491    3.13                        205.43
3        389.831   20.85   1.43387    95.1      204.88
4      -1519.134   25.29                        203.52
5        379.388   19.40   1.43387    95.1      198.91
6      -1690.060    0.25                        198.64
7        270.376   20.46   1.43387    95.1      194.91
8       5840.434    1.18                        193.83
9        190.778   14.41   1.59240    68.3      182.16
10        365.545  (可変)                        180.35
11*      11015.733    2.20   2.00330    28.3       48.62
12         41.065   10.49                         41.92
13        -62.377    1.40   1.88300    40.8       41.20
14         65.176    9.88   1.95906    17.5       42.38
15        -89.087    2.72                         43.74
16        -51.909    1.60   1.83400    37.2       43.88
17       -103.320  (可変)                         46.02
18        115.185   11.58   1.59201    67.0       78.48
19*     -2087.691    0.50                         78.91
20        142.758   13.08   1.59201    67.0       80.06
21       -231.655    0.20                         79.67
22        122.793    2.50   1.80518    25.4       76.01
23         57.717   18.11   1.43387    95.1       71.57
24       -564.234    0.50                         70.45
25*       364.246    6.50   1.49700    81.5       69.33
26       -414.835  (可変)                         68.15
27(絞り)    ∞       5.89                         31.81
28       -147.172    1.40   1.81600    46.6       32.30
29         46.924    1.05                         31.20
30         37.303    4.69   1.80809    22.8       31.30
31        420.501    3.37                         30.90
32        -76.047    1.40   1.88300    40.8       30.60
33        191.170   11.30                         30.40
34        -41.223    1.78   1.65160    58.5       26.67
35        580.472    3.52   1.80518    25.4       27.78
36       -156.414    6.46                         28.43
37       -103.332    5.71   1.70154    41.2       30.13
38        -53.979   10.53                         31.42
39       -216.194    4.49   1.50137    56.4       32.25
40        -43.973    0.74                         32.44
41        -72.585    1.30   1.88300    40.8       31.89
42         61.011    9.51   1.50137    56.4       32.28
43        -35.679    0.20                         33.06
44         96.272    8.69   1.49700    81.5       32.15
45        -31.822    1.70   1.88300    40.8       31.45
46       -176.143    2.14                         31.79
47         50.459    8.14   1.48749    70.2       31.95
48        -79.751    5.00                         31.49
49          ∞      33.00   1.60859    46.4       60.00
50          ∞      13.20   1.51633    64.2       60.00
51          ∞     (可変)                         60.00
像面        ∞   
非球面データ
第11面
K =-2.61129e+006  A 4= 1.14924e-006  A 6=-4.20242e-010  A 8= 7.06050e-012  A10= 1.71748e-014  A12=-3.95143e-018  A14=-2.50492e-020  A16= 2.74832e-023  
A 3=-7.41007e-007  A 5=-2.86209e-008  A 7= 4.68402e-011  A 9=-6.67517e-013  A11=-2.87644e-016  A13= 1.44174e-018  A15=-1.26241e-021  
第19面
K =-8.09196e+003  A 4= 2.70610e-007  A 6= 1.07566e-009  A 8=-3.82716e-014  A10=-1.89869e-016  A12= 1.74435e-020  A14=-2.31461e-023  A16= 5.87253e-027  
A 3=-1.02923e-007  A 5=-2.58308e-008  A 7=-1.15844e-011  A 9= 3.14187e-015  A11= 2.64931e-018  A13= 8.56747e-022  A15=-2.81713e-025  
第25面
K = 6.92275e+001  A 4=-4.53959e-007  A 6=-6.59771e-011  A 8=-3.55842e-013  A10=-1.48669e-016  A12= 8.98957e-020  A14= 6.50522e-022  A16= 1.24233e-026  
A 3= 7.06566e-007  A 5=-1.77804e-008  A 7= 3.13155e-011  A 9= 8.81552e-016  A11=-1.46851e-017  A13= 1.62371e-021  A15=-1.37737e-023  
各種データ
ズーム比     90.00 
広角     中間     望遠
焦点距離       8.60    65.53   774.03  
Fナンバー      1.80     1.79     4.00  
半画角        32.60     4.80     0.41  
像高           5.50     5.50     5.50  
レンズ全長   641.10   641.10   641.10  
BF            18.00    18.00    18.00  
d10            3.03   140.03   186.75  
d17          279.71   118.33     3.07  
d26            3.00    27.38    95.93  
d51           18.00    18.00    18.00  
【００９２】
（数値実施例４）
単位 mm
面データ
面番号       r        d      nd         vd       有効径
1       1169.970    3.20   1.77250    49.6       96.20
2         63.517   23.65                         81.95
3       -120.659    2.70   1.77250    49.6       81.54
4       12736.296    0.20                         83.19
5        137.037    5.94   1.92286    20.9       85.31
6        318.821    2.00                         84.99
7        271.656   14.52   1.62041    60.3       84.83
8*      -109.038    0.20                         84.33
9       1217.787   11.61   1.49700    81.5       78.55
10        -89.713    2.50   1.80000    29.8       78.06
11       -320.046    7.41                         77.80
12        112.524    2.50   1.73800    32.3       76.45
13         57.213   18.31   1.49700    81.5       73.74
14       -280.485    0.20                         73.55
15        101.341    9.23   1.53715    74.8       71.24
16       -709.192    0.20                         70.43
17         83.331    5.90   1.76385    48.5       64.79
18        173.808  (可変)                         63.04
19*        61.549    1.20   1.88300    40.8       29.21
20         17.773    5.41                         24.21
21       -159.396    4.21   1.84666    23.8       24.05
22        -24.028    0.70   1.77250    49.6       23.55
23       -157.380    2.58                         22.31
24        -23.845    0.70   1.72916    54.7       22.32
25        200.558    0.16                         24.09
26         58.452    4.05   1.65412    39.7       25.23
27        -64.906  (可変)                         25.69
28        -33.602    0.90   1.65160    58.5       26.19
29        122.398    2.46   1.80809    22.8       28.40
30       -422.018  (可変)                         28.99
31(絞り)    ∞       1.29                         35.17
32        937.433    4.48   1.75500    52.3       36.29
33        -60.072    0.20                         36.84
34         68.903    5.18   1.61800    63.3       38.04
35       -176.593    0.20                         37.91
36         76.805    5.15   1.49700    81.5       36.90
37       -121.358    1.20   2.00100    29.1       36.35
38        451.542    0.20                         35.81
39         43.800   10.46   1.51633    64.1       34.81
40        -54.461    1.10   1.77250    49.6       32.72
41         88.147   23.84                         31.20
42         49.487    4.85   1.48749    70.2       25.16
43        -46.406    0.20                         25.06
44         28.213    5.78   1.48749    70.2       23.32
45        -38.460    1.00   2.00069    25.5       22.44
46         26.683    2.54                         21.33
47        271.150    6.98   1.80809    22.8       21.57
48        -16.364    1.00   1.88300    40.8       22.08
49        339.474    7.61                         23.51
50         35.227    4.97   1.48749    70.2       29.66
51       -529.253  (可変)                         29.72
像面        ∞   
非球面データ
第8面
K = 7.46975e-001  A 4= 1.99891e-007  A 6= 6.90199e-011  A 8=-1.88943e-013  A10= 2.85379e-016  A12=-2.31761e-019  A14= 9.51659e-023  A16=-1.55553e-026  
第19面
K = 5.13907e+000  A 4= 1.02312e-006  A 6=-1.14340e-008  A 8= 4.59324e-011  A10=-3.79212e-013  A12= 1.38269e-015  A14=-1.51499e-018  A16=-1.86650e-021  
各種データ
ズーム比      8.00 
広角     中間     望遠
焦点距離      20.08    70.29   160.66  
Fナンバー      2.80     2.80     3.61  
半画角        37.75    12.47     5.53  
像高          15.55    15.55    15.55  
レンズ全長   310.19   310.19   310.19  
BF            37.84    37.84    37.84  
d18            0.94    33.77    45.03  
d27           41.11     5.23     5.37  
d30            9.40    12.45     1.06  
d51           37.84    37.84    37.84  
【００９３】
【表１】
2019003072.tif 000013
【符号の説明】
【００９４】
Ｕ１  第１レンズ群    Ｕ２  第２レンズ群    Ｕ３  第３レンズ群
Ｕ４  第４レンズ群    Ｕ５  第５レンズ群    ＳＰ  絞り    ＤＧ  ガラスブロック
ＩＰ  撮像面    ＧＲ１  ゴースト反射面    ＧＲ２  ゴースト反射面
【図１】
2019003072.tif 000016
【図２】
2019003072.tif 000017
【図３】
2019003072.tif 000018
【図４】
2019003072.tif 000019
【図５】
2019003072.tif 000020
【図６】
2019003072.tif 000021
【図７】
2019003072.tif 000022
【図８】
2019003072.tif 000023
【図９】
2019003072.tif 000024
【図１０】
2019003072.tif 000025